(57)【要約】      （修正有）【課題】マイナスイオン空気浄化灯は、省電ランプのソケットの適当な位置に、マイナスイオン発生装置を取り付け、省電ランプが照明効果を発揮すると同時に、マイナスイオンを空気中に放出することで、空気浄化を行なう。【解決手段】省電ランプ１の電源を利用し、空間を利用するため、その数本の省電ランプ１の隙間を利用した位置に、マイナスイオン発生装置４が取り付けられている。さらに、先端には突き出たカーボン繊維ブラシ４１があって、省電ランプ１をつけた時、同時に昇圧回路が始動して、カーボン繊維ブラシ４１に２．５k vの高電圧を発生させる。その高電圧を利用して、空気中の中性イオンをプラスとマイナスイオンに分解する。そのうち、プラスイオンはやや重いためカーボン繊維ブラシ４１に吸い付けられ、リード線３１を通して電流に循環される。【選択図】図１
0003112435.tif 000002
【実用新案登録請求の範囲】
【請求項１】
省電ランプがソケットに取り付けられていて、その内部の、省電ランプ底部が接触する位置にコントロール回路板があって、省電ランプの導電部分がコントロール回路板に接続していて、電源がコントロール回路を経由することにより、省電ランプをコントロールしてつけたり消したりし、省電ランプの電源を利用し、その数本の省電ランプの隙間を利用した位置に、マイナスイオン発生装置が取り付けられていて、さらに、先端には突き出たカーボン繊維ブラシがあって、省電ランプをつけた時、同時に昇圧回路が作動して、カーボン繊維ブラシにの高電圧を発生させて、空気をプラスとマイナスイオンに分解し、そのうち、プラスイオンはやや重いためカーボン繊維ブラシに吸い付けられ、リード線を通して電流に循環されるが、マイナスイオンは比較的軽いため、風と共に空気中に放出されるため、省電ランプを使用すると同時に、空気を浄化する多重の機能を持つという特長を持つ、マイナスイオン空気浄化灯。
【請求項２】
マイナスイオン発生装置が異なった形式の省電ランプと結合させることが可能である、請求項１に記載のマイナスイオン空気浄化灯。
【考案の詳細な説明】
【技術分野】
【０００１】
本考案はマイナスイオン空気浄化灯に関する。本考案のマイナスイオン空気浄化灯は、元からある省電ランプの装置に、ソケットの適当な位置に、マイナスイオン発生装置が取り付けてある。さらに、電源が省電ランプのコントロール回路の電源から取得されることで、省電ランプがついたと同時に、マイナスイオン発生装置が作動したことを確認でき、さらに、照明機能を果たしながら、マイナスイオンを放出して空気を浄化することができるので、人体に有益な多重効果を持つ。
【背景技術】
【０００２】
一般に、省電ランプは数本の倒立した形の∪型省電ランプからなり、ソケットに取り付けられる。さらに、そのソケット内のコントロール回路がコントロールしてつけたり消したりする。最もよく目にする省電ランプの形状は螺旋型や３∪型で、その美観及び空間の運用において、従来の蛍光灯よりすぐれていると言える。そのため、消費者が好んで使用する傾向にあり、需要量も日増しに増加している。
【考案の開示】
【考案が解決しようとする課題】
【０００３】
しかしながら、省電ランプは照明に使用されるのみで、他の機能を果たさないにもかかわらず、その価格は高く、価格に見合った価値が見出しにくい。このため、現在、消費者は、照明の美観を重視し、空間を取らないデザインのものを好んで購入する。このニーズに対応しない製品は淘汰されることになる。また、省電ランプは価格が高いわりに、照明以外の機能がなく、他の付加価値がないことは商品として大きな欠点だと言える。
【課題を解決するための手段】
【０００４】
本考案のマイナスイオン空気浄化灯は、省電ランプの中心の位置にマイナスイオン発生装置があり、そのマイナスイオン発生装置には突出したカーボン繊維ブラシがある。省電ランプをつけた時、同時に昇圧回路が作動し、そのカーボン繊維ブラシの先端に２．５k vの電圧を発生させる。しかしながら、その電流は、極めて小さいので人体に危険を及ぼすことはない。この高圧電の中性イオンを利用して、空気をプラスとマイナスイオンに分解し、プラスイオンはやや重いためブラシに吸い付けられ、リード線を通して電流に循環される。しかしながら、マイナスイオンは比較的軽いため、風と共に空気中に放出されて、空気中に散って沈殿するため、細かいちりやウイルスは空気中に生存できなくなる。したがって、室内の空気をきれいにすると同時に、そのマイナスイオンが人体の細胞を活性化するという特性により、人を元気にする。したがって、省電ランプを使用すると同時に、他の空間を一切使用せず、美観も損ねずに、空気浄化の目的が達成されて、人体にも有益な効果があるという多重の機能を持つ。
【考案の効果】
【０００５】
本考案のマイナスイオン空気浄化灯は、省電ランプのソケットの適当な位置に、マイナスイオン発生装置を取り付け、省電ランプが照明効果を発揮すると同時に、マイナスイオン発生装置に対して、交流を直流に変換後、昇圧回路によって電圧を２．５KVまで上げ、マイナスイオン発生装置先端のカーボン繊維ブラシに、空気中のプラス、マイナスイオンを分離して、そのうちのマイナスイオンを空気中に放出することで、空気浄化を行なうと同時に、人体に有益なマイナスイオンを提供することで、人体の細胞を活性化させ、元気にする効果がある。
【０００６】
また、本考案のマイナスイオン空気浄化灯は、マイナスイオン発生装置が作動しているかどうか確認でき、照明機能と同時に空気浄化の機能を果たすという特長がある。
【考案を実施するための最良の形態】
【０００７】
図１及び図２を参照すると、省電ランプ１はソケット２に取り付けられている。その内部の、省電ランプ１底部が接触する位置にコントロール回路板３があって、省電ランプ１の導電部分１１がコントロール回路板３に接続している。電源がコントロール回路３を経ることにより、省電ランプ１をコントロールしてつけたり消したりする。コントロール回路３は従来の部分であるため詳しくは説明しない。
【０００８】
図３を参照すると、前述の省電ランプ１の電源を利用し、空間を利用するため、その数本の省電ランプ１の隙間を利用した位置に、マイナスイオン発生装置４が取り付けられている。さらに、先端には突き出たカーボン繊維ブラシ４１があって、省電ランプ１をつけた時、同時に昇圧回路が始動して、カーボン繊維ブラシ４１に２．５k vの高電圧を発生させる。しかしながら、その電流はきわめて小さく、人体に危険を及ぼすことはない。そして、その高電圧を利用して、空気中の中性イオンをプラスとマイナスイオンに分解する。そのうち、プラスイオンはやや重いためカーボン繊維ブラシ４１に吸い付けられ、リード線３１を通して電流に循環される。しかしながら、マイナスイオンは比較的軽いため、風と共に空気中に放出されて、空気中に散って沈殿するため、細かいちりやウイルスは空気中に生存できなくなる。したがって、室内の空気をきれいにすると同時に、そのマイナスイオンが人体の細胞を活性化するという特性により、人を元気にする。したがって、省電ランプを使用すると同時に、他の空間を一切使用せず、美観も損ねずに、空気浄化の目的が達成されて、人体にも有益な効果があるという多重の機能を持つ。
【０００９】
したがって、本考案のマイナスイオン発生装置４は省電ランプ１（スパイラル型及び３∪型も可能）と結合させて、一方で照明機能に影響を及ぼさず、同時に照明をつけることによって、マイナスイオン発生装置４が作動しているかどうかを確認し、もう一方で、省電ランプの外観を損ねずに、マイナスイオンを放出して空気浄化の目的が達成されるため、照明機能、空気浄化機能、美観性といった多重の機能を持ち、付加価値も高いという特長を持つ。
【図面の簡単な説明】
【００１０】
【図１】本考案のマイナスイオン空気浄化灯の断面図である。
【図２】マイナスイオン発生装置の先端にあるマイナスイオンを放出する装置の拡大断面図である。
【図３】本考案のマイナスイオン省電ランプの実施例図である。
【符号の説明】
【００１１】
１    省電ランプ  １１    導電部分  ２  ソケット  ３  コントロール回路板  ４１  カーボン繊維ブラシ  ３１  リード線
【図１】
0003112435.tif 000003
【図２】
0003112435.tif 000004
【図３】
0003112435.tif 000005
【手続補正書】
【提出日】平成17年1月7日(2005.1.7)
【手続補正１】
【補正対象書類名】実用新案登録請求の範囲
【補正対象項目名】請求項１
【補正方法】変更
【補正の内容】
【請求項１】
省電ランプがソケットに取り付けられていて、その内部の、省電ランプ底部が接触する位置にコントロール回路板があって、省電ランプの導電部分がコントロール回路板に接続していて、電源がコントロール回路を経由することにより、省電ランプをコントロールしてつけたり消したりし、省電ランプの電源を利用し、その数本の省電ランプの隙間を利用した位置に、マイナスイオン発生装置が取り付けられていて、さらに、先端には突き出たカーボン繊維ブラシがあって、省電ランプをつけた時、同時に昇圧回路が作動して、カーボン繊維ブラシに高電圧を発生させて、空気をプラスとマイナスイオンに分解し、そのうち、プラスイオンはやや重いためカーボン繊維ブラシに吸い付けられ、リード線を通して電流に循環されるが、マイナスイオンは比較的軽いため風と共に空気中に放出され、省電ランプを使用すると同時に、空気を浄化する多重の機能を持つという特長を持つ、マイナスイオン空気浄化灯。
【手続補正書】
【提出日】平成17年2月14日(2005.2.14)
【手続補正１】
【補正対象書類名】実用新案登録請求の範囲
【補正対象項目名】全文
【補正方法】変更
【補正の内容】
【実用新案登録請求の範囲】
【請求項１】
省電ランプがソケットに取り付けられていて、その内部の、省電ランプ底部が接触する位置にコントロール回路板があって、省電ランプの導電部分がコントロール回路板に接続していて、電源がコントロール回路を経由することにより、省電ランプをコントロールしてつけたり消したりし、省電ランプの電源を利用し、その数本の省電ランプの隙間を利用した位置に、マイナスイオン発生装置が取り付けられていて、さらに、先端には突き出たカーボン繊維ブラシがあって、省電ランプをつけた時、同時に昇圧回路が作動して、カーボン繊維ブラシに高電圧を発生させて、空気をプラスとマイナスイオンに分解し、そのうち、プラスイオンはやや重いためカーボン繊維ブラシに吸い付けられ、リード線を通して電流に循環されるが、マイナスイオンは比較的軽いため風と共に空気中に放出され、省電ランプを使用すると同時に、空気を浄化する多重の機能を持つという特長を持つ、マイナスイオン空気浄化灯。